(57)【要約】【課題】測定者がガラス試料に直接手で触れる必要がなく、測定者の手によってガラス試料を変質させず、落下しても破損し難く、エッジによって測定者の手を傷つけるおそれがなく、長期間安定して使用できる蛍光Ｘ線分析用一体化ガラス試料を提供する。【解決手段】本考案の蛍光Ｘ線分析用一体化ガラス試料１は、蛍光Ｘ線分析の試料として用いられ、測定面２１を有する板状のガラス試料２と、ガラス試料２における測定面２１の反対側である裏面２２が固着された保持面３１を有する試料保持具３と、を備え、ガラス試料２が試料保持具３と一体化されている。【選択図】図１
0003200116.tif 000002
【実用新案登録請求の範囲】
【請求項１】
蛍光Ｘ線分析の試料として用いられ、測定面を有する板状のガラス試料と、
前記ガラス試料における前記測定面の反対側である裏面が固着された保持面を有する試料保持具と、
を備え、
前記ガラス試料が前記試料保持具と一体化された蛍光Ｘ線分析用一体化ガラス試料。
【請求項２】
請求項１に記載の蛍光Ｘ線分析用一体化ガラス試料において、
前記保持面が前記試料保持具において凹入している蛍光Ｘ線分析用一体化ガラス試料。  
【請求項３】
請求項２に記載の蛍光Ｘ線分析用一体化ガラス試料において、
前記試料保持具が、前記ガラス試料の前記裏面を露出させる貫通孔を有する蛍光Ｘ線分析用一体化ガラス試料。
【考案の詳細な説明】
【技術分野】
【０００１】
本考案は、蛍光Ｘ線分析に用いられるガラス試料に関する。
【背景技術】
【０００２】
蛍光Ｘ線分析では、試料を四ホウ酸リチウムなどの融剤とともに高温で溶融後、冷却してガラス化するガラスビード法（溶融法）が知られている。また、信頼性の高い分析を行うために、ＰＨＡ調整や標準化（ドリフト補正）など、蛍光Ｘ線分析装置の較正を日常的に行っており、その際、ＰＨＡ調整試料や標準化試料などの較正試料（モニター試料）を用いる。較正試料は経時変化の極力少ないものが望まれるところ、長期間安定している較正試料として、ガラス試料が使用されている。ガラス試料としては、ガラスビード法によって作製されたガラスビード（溶融ビード）やソーダガラス、ホウケイ酸ガラスなどで形成されたガラス試料が知られている。
【０００３】
従来、蛍光Ｘ線分析においてガラス試料（ガラスビード）を測定する場合、図５に示されるような、マスク６０、容器蓋５０、受け台４０、スプリング３０、盲板２０およびホルダを有する試料容器７の受け台４０にガラス試料２を載置し、その試料容器７を蛍光Ｘ線分析装置の試料室に配置して測定している（特許文献１）。未知試料については、測定のときに測定者や試料装填機によって通常一度取り扱われるだけであるが、較正試料であるガラス試料は蛍光Ｘ線分析装置の較正ごとに繰り返し取り扱われる。
【先行技術文献】
【特許文献】
【０００４】
【特許文献１】特開２００４−２４５７４５号公報
【考案の概要】
【考案が解決しようとする課題】
【０００５】
しかし、従来のガラス試料は試料容器が備える受け台４０に載置されるまでは、何にも保持されておらず、測定者はガラス試料を直接手で取り扱っている。そのため、分析面を汚染してしまう、潮解性のあるガラス試料（ガラスビード）では測定者の指の汗により変質させてしまう、測定者がガラス試料を落下させて破損してしまう、エッジのあるガラス試料では測定者の手が傷つくおそれがある、など種々の問題がある。試料装填機を用いる場合にも、ガラス試料エッジ部の欠けや落下による破損の問題がある。
【０００６】
本考案は前記従来の問題に鑑みてなされたもので、測定者がガラス試料に直接手で触れる必要がなく、測定者の手によってガラス試料を変質させず、落下しても破損し難く、エッジによって測定者の手を傷つけるおそれがなく、長期間安定して使用できる蛍光Ｘ線分析用一体化ガラス試料を提供することを目的とする。
【課題を解決するための手段】
【０００７】
前記目的を達成するために、本考案の蛍光Ｘ線分析用一体化ガラス試料は、蛍光Ｘ線分析の試料として用いられ、測定面を有する板状のガラス試料と、前記ガラス試料における前記測定面の反対側である裏面が固着された保持面を有する試料保持具と、を備え、前記ガラス試料が前記試料保持具と一体化されている。
【０００８】
本考案の蛍光Ｘ線分析用一体化ガラス試料によれば、ガラス試料が試料保持具に固着されて一体化されているので、測定者がガラス試料に直接手で触れる必要がなく、測定者の手によってガラス試料を変質させず、落下しても破損し難く、エッジによって測定者の手を傷つけるおそれがなく、長期間安定して使用できる。
【０００９】
本考案の蛍光Ｘ線分析用一体化ガラス試料においては、前記保持面が前記試料保持具において凹入しているのが好ましい。この場合には、ガラス試料の少なくとも一部が試料保持具に埋没するので、ガラス試料がより破損し難くなる。
【００１０】
本考案の蛍光Ｘ線分析用一体化ガラス試料においては、前記試料保持具が、前記ガラス試料の前記裏面を露出させる貫通孔を有するのが好ましい。この場合には、貫通孔からガラス試料の裏面に剥離剤が浸み込みやすくなり、ガラス試料を試料保持具から容易に取り外すことができて試料保持具を簡単に再利用することができる。
【図面の簡単な説明】
【００１１】
【図１】本考案の第１実施形態の蛍光Ｘ線分析用一体化ガラス試料の正面図である。
【図２】本考案の第２実施形態の蛍光Ｘ線分析用一体化ガラス試料の正面図である。
【図３】（ａ）同蛍光Ｘ線分析用一体化ガラス試料の第１変形例の正面図である。（ｂ）同第１変形例の下面図である。
【図４】（ａ）同蛍光Ｘ線分析用一体化ガラス試料の第２変形例の正面図である。（ｂ）同第２変形例の下面図である。
【図５】従来のガラス試料の試料容器の概略図である。
【考案を実施するための形態】
【００１２】
以下、本考案の第１実施形態の蛍光Ｘ線分析用一体化ガラス試料１について説明する。図１に示すように、この蛍光Ｘ線分析用一体化ガラス試料１は、蛍光Ｘ線分析の試料として用いられ、測定面２１を有する板状のガラス試料２と、ガラス試料２における測定面２１の反対側である裏面２２が固着された保持面３１を有する試料保持具３と、を備え、ガラス試料２が試料保持具３と一体化されている。ガラス試料２の裏面２２は、例えば、エポキシ系接着剤で保持面３１に接着されている。接着は、エポキシ系接着剤以外の接着剤や強粘着両面テープなどによってもよい。
【００１３】
ガラス試料２は、例えばガラスビード法（溶融法）で分析元素の含有率を調整して必要な強度の分析線が得られるように作製されたガラスビードである。この場合のガラス試料２は一般に椀状の白金るつぼで溶融されて作製されるので、ガラス試料２は円板状である。試料保持具３（アルミニウム製）は、例えば円板状である。融剤として四ホウ酸リチウムを用いてガラスビード法によって作製されたガラス試料２の場合は潮解性を有するので、測定者がガラス試料２を直接手で触れるとガラス試料２が変質するが、この蛍光Ｘ線分析用一体化ガラス試料１はガラス試料２と試料保持具３とが一体化されているので、測定者がガラス試料２に直接手で触れる必要がなく、測定者の手によってガラス試料を変質させずに取り扱うことができる。
【００１４】
ガラス試料２としてガラスビードを例に挙げて説明したが、ガラス試料２は、ガラスビード法で作製されたものに限らず、ソーダガラス、ホウケイ酸ガラスなどで形成された円板状または矩形板状のガラス試料や、所定の含有率の分析元素が含有された、円板状または矩形板状の市販の蛍光Ｘ線分析用ガラス標準試料（例えば、ＢＲＡＭＭＥＲ  ＳＴＡＮＤＡＲＤ社製の蛍光Ｘ線分析用ガラス標準試料）であってもよい。
【００１５】
図５に示す試料容器７におけるガラス試料２と受け台４０とに替わって、本考案の第１の実施形態の蛍光Ｘ線分析用一体化ガラス試料１が試料容器７に収容され、試料容器７が蛍光Ｘ線分析装置の試料室（図示なし）に配置されて測定される。
【００１６】
第１実施形態の蛍光Ｘ線分析用一体化ガラス試料１によれば、ガラス試料２が試料保持具３に固着されて一体化されているので、測定者がガラス試料２に直接手で触れる必要がなく、測定者の手によってガラス試料２を変質させず、落下しても破損し難く、エッジによって測定者の手を傷つけるおそれがなく、長期間安定して使用できる。
【００１７】
次に、第２実施形態の蛍光Ｘ線分析用一体化ガラス試料１１について説明する。この蛍光Ｘ線分析用一体化ガラス試料１１でも、ガラス試料２は、第１実施形態の蛍光Ｘ線分析用一体化ガラス試料１と同様に、ガラスビードである。図２に示すように、この蛍光Ｘ線分析用一体化ガラス試料１１では、保持面４１が試料保持具４において凹入している。ガラス試料２の下部が凹入している試料保持具４に埋没し、ガラス試料２の裏面２２が凹入した保持面４１に固着されて、ガラス試料２が試料保持具４と一体化されている。円板状のガラス試料２の下部が埋没する空間４３は円板状である。ガラス試料２の裏面２２は、本考案の第１実施形態の蛍光Ｘ線分析用一体化ガラス試料１と同様に、エポキシ系接着剤で保持面４１に接着されている。ガラス試料２が市販の矩形板状の蛍光Ｘ線分析用ガラス試料の場合には、空間４３は矩形板状が好ましい。
【００１８】
試料保持具４（アルミニウム製）は、保持面４１が試料保持具４において凹入している、例えば円板状である。ガラス試料２は、厚さ方向に２ｍｍ程度試料保持具４から露出している。
【００１９】
試料容器７（図５）におけるガラス試料２と受け台４０とに替わって、本考案の第２の実施形態の蛍光Ｘ線分析用一体化ガラス試料１１が試料容器７に収容され、試料容器７が蛍光Ｘ線分析装置の試料室（図示なし）に配置されて測定される。
【００２０】
本考案の第２実施形態の蛍光Ｘ線分析用一体化ガラス試料１１によれば、第１実施形態の蛍光Ｘ線分析用一体化ガラス試料１と同様の効果を奏する上、ガラス試料２の少なくとも一部が試料保持具４に埋没するので、ガラス試料２がより破損し難くなる。また、ガラス試料２と試料保持具４とを一体化させる時にガラス試料２の位置合わせが容易になる。      
【００２１】
次に、第２実施形態の第１変形例の蛍光Ｘ線分析用一体化ガラス試料１２について説明する。この蛍光Ｘ線分析用一体化ガラス試料１２でも、ガラス試料２は、第１実施形態の蛍光Ｘ線分析用一体化ガラス試料１と同様に、ガラスビードである。図３に示すように、この蛍光Ｘ線分析用一体化ガラス試料１２では、保持面５１が凹入している試料保持具５が、ガラス試料２の裏面２２を露出させる貫通孔５２を有する。保持面５１は貫通孔５２に向かって径小になる円錐面である。第２実施形態の蛍光Ｘ線分析用一体化ガラス試料１１と同様に、ガラス試料２の下部が凹入している試料保持具５に埋没し、ガラス試料２の裏面２２が凹入した保持面５１に固着されて、ガラス試料２が試料保持具５と一体化されている。
【００２２】
試料保持具５（アルミニウム製）は、例えば円筒状であり、円板状のガラス試料２の下部が埋没する空間５３は円錐台状である。ガラス試料２が矩形板状の場合には、空間５３は角錐台状が好ましい。
【００２３】
試料容器７（図５）におけるガラス試料２と受け台４０とに替わって、本考案の第２の実施形態の第１変形例の蛍光Ｘ線分析用一体化ガラス試料１２が試料容器７に収容され、試料容器７が蛍光Ｘ線分析装置の試料室（図示なし）に配置されて測定される。
【００２４】
第２実施形態の第１変形例の蛍光Ｘ線分析用一体化ガラス試料１２によれば、第１実施形態の蛍光Ｘ線分析用一体化ガラス試料１と同様の効果を奏する上、裏面２２を露出させる貫通孔５２に指先を入れることができるので、より持ちやすくなるとともに、貫通孔５２からガラス試料２の裏面２２に剥離剤が浸み込みやすくなり、ガラス試料２を試料保持具５から容易に取り外すことができて試料保持具５を簡単に再利用することができる。
【００２５】
次に、第２実施形態の第２変形例の蛍光Ｘ線分析用一体化ガラス試料１３について説明する。この蛍光Ｘ線分析用一体化ガラス試料１３でも、ガラス試料２は、第１実施形態の蛍光Ｘ線分析用一体化ガラス試料１と同様に、ガラスビードである。図４に示すように、この蛍光Ｘ線分析用一体化ガラス試料１３では、保持面６１が凹入している試料保持具６が、ガラス試料２の裏面２２を露出させる貫通孔６２を有する。この貫通孔６２は、大径孔６２１と大径孔６２１と同心の小径孔６２２で形成されている。小径孔６２２がガラス試料２の裏面２２に近接している。図５に示す試料容器７のスプリング３０の頭部が大径孔６２１に収容されて、蛍光Ｘ線分析用一体化ガラス試料１３が位置決めされる。
【００２６】
第２実施形態の蛍光Ｘ線分析用一体化ガラス試料１１と同様に、ガラス試料２の下部が凹入している試料保持具６に埋没し、ガラス試料２の裏面２２が凹入した保持面６１に固着されて、ガラス試料２が試料保持具６と一体化されている。
【００２７】
試料保持具６（アルミニウム製）は、例えばリング状であり、円板状のガラス試料の下部が埋没する空間６３は円板状である。ガラス試料２が矩形板状の場合には、空間６３は矩形板状が好ましい。
【００２８】
試料容器７（図５）におけるガラス試料２と受け台４０とに替わって、本考案の第２の実施形態の第２変形例の蛍光Ｘ線分析用一体化ガラス試料１３が試料容器７に収容され、試料容器７が蛍光Ｘ線分析装置の試料室（図示なし）に配置されて測定される。
【００２９】
第２実施形態の第２変形例の蛍光Ｘ線分析用一体化ガラス試料１３によれば、第２実施形態の第１変形例の蛍光Ｘ線分析用一体化ガラス試料１２と同様の効果を奏する上、図５に示す試料容器７のスプリング７１の頭部が大径孔６２１に収容されて、小径孔６２２の肩６２２１を押圧するので、試料容器７内において蛍光Ｘ線分析用一体化ガラス試料１３を容易に位置決めすることができる。
【００３０】
第１および第２実施形態（第１変形例および第２変形例を含む）では、試料保持具３はアルミニウム製として説明したが、これに限らず、他の金属製や合成樹脂（例えば、ポリプロピレン、ポリエチレン）製などであってもよい。
【符号の説明】
【００３１】
１、１１、１２、１３  蛍光Ｘ線分析用一体化ガラス試料
２  ガラス試料
３、４、５、６  試料保持具
２１  測定面
２２  裏面
３１、４１、５１、６１  保持面
【図１】
0003200116.tif 000003
【図２】
0003200116.tif 000004
【図３】
0003200116.tif 000005
【図４】
0003200116.tif 000006
【図５】
0003200116.tif 000007